【手続補正書】
【提出日】平成20年11月4日(2008.11.4)
【手続補正１】
【補正対象書類名】特許請求の範囲
【補正対象項目名】請求項１
【補正方法】変更
【補正の内容】
【請求項１】
ＴＶ（Ｔｏｔａｌ  Ｖａｒｉａｔｉｏｎ）法により原画像をカートゥーン画像とテクスチャ画像とに分解する分解部、
前記テクスチャ画像を入力し、該テクスチャ画像を構成する画素の画素値を変換し、新たなテクスチャ画像を生成する変換部、及び、
前記分解部により分解されたカートゥーン画像と、変換部により生成された新たなテクスチャ画像とを合成して復元画像を生成する合成部を備えたことを特徴とする画像処理装置。
【手続補正２】
【補正対象書類名】特許請求の範囲
【補正対象項目名】請求項４
【補正方法】変更
【補正の内容】
【請求項４】
請求項１から３までのいずれか一項に記載の画像処理装置において、
さらに、前記原画像のノイズレベルを検出し、該ノイズレベルに応じた切り替え用の制御信号を出力する切替制御部、及び、
前記制御信号に基づいて、分解部により分解されたテクスチャ画像の出力先を変換部または合成部に切り替える切替部を備え、
前記変換部が、切替部により出力されたテクスチャ画像を入力し、該テクスチャ画像を構成する画素の画素値を変換し、新たなテクスチャ画像を生成し、
前記合成部が、分解部により分解されたカートゥーン画像と、切替部により出力されたテクスチャ画像または変換部により生成されたテクスチャ画像とを合成して復元画像を生成することを特徴とする画像処理装置。
【手続補正３】
【補正対象書類名】特許請求の範囲
【補正対象項目名】請求項６
【補正方法】変更
【補正の内容】
【請求項６】
請求項１から４までのいずれか一項に記載の画像処理装置において、
さらに、前記合成部の後段にアップコンバータを備え、
該アップコンバータが、前記合成部により生成された復元画像を入力し、該復元画像よりも精細度の高い画像に変換して拡大することを特徴とする画像処理装置。
【手続補正４】
【補正対象書類名】特許請求の範囲
【補正対象項目名】請求項７
【補正方法】変更
【補正の内容】
【請求項７】
原画像を入力して画像処理を施し、復元画像を生成する画像処理装置によるプログラムであって、前記画像処理装置を構成するコンピュータに、
ＴＶ法により原画像をカートゥーン画像とテクスチャ画像とに分解する処理と、
前記テクスチャ画像を入力し、該テクスチャ画像を構成する画素の画素値を変換し、新たなテクスチャ画像を生成する処理と、
前記分解したカートゥーン画像と生成した新たなテクスチャ画像とを合成して復元画像を生成する処理とを実行させる画像処理プログラム。
【手続補正５】
【補正対象書類名】明細書
【補正対象項目名】０００９
【補正方法】変更
【補正の内容】
【０００９】
すなわち、本発明による画像処理装置は、ＴＶ法により原画像をカートゥーン画像とテクスチャ画像とに分解する分解部、前記テクスチャ画像を入力し、該テクスチャ画像を構成する画素の画素値を変換し、新たなテクスチャ画像を生成する変換部、及び、前記分解部により分解されたカートゥーン画像と、変換部により生成された新たなテクスチャ画像とを合成して復元画像を生成する合成部を備えたことを特徴とする。
【手続補正６】
【補正対象書類名】明細書
【補正対象項目名】００１２
【補正方法】変更
【補正の内容】
【００１２】
また、本発明による画像処理装置の変形例は、さらに、前記原画像のノイズレベルを検出し、該ノイズレベルに応じた切り替え用の制御信号を出力する切替制御部、及び、前記制御信号に基づいて、分解部により分解されたテクスチャ画像の出力先を変換部または合成部に切り替える切替部を備え、前記変換部が、切替部により出力されたテクスチャ画像を入力し、該テクスチャ画像を構成する画素の画素値を変換し、新たなテクスチャ画像を生成し、前記合成部が、分解部により分解されたカートゥーン画像と、切替部により出力されたテクスチャ画像または変換部により生成されたテクスチャ画像とを合成して復元画像を生成することを特徴とする。
【手続補正７】
【補正対象書類名】明細書
【補正対象項目名】００１４
【補正方法】変更
【補正の内容】
【００１４】
また、本発明による画像処理装置の変形例は、さらに、前記合成部の後段にアップコンバータを備え、該アップコンバータが、前記合成部により生成された復元画像を入力し、該復元画像よりも精細度の高い画像に変換して拡大することを特徴とする。
【手続補正８】
【補正対象書類名】明細書
【補正対象項目名】００１５
【補正方法】変更
【補正の内容】
【００１５】
以上、本発明を画像処理装置として説明したが、本発明はこれらに実質的に相当するプログラムとしても実現し得るものであり、本発明には、画像処理プログラムも包含される。すなわち、本発明による画像処理プログラムは、原画像を入力して画像処理を施し、復元画像を生成する画像処理装置によるプログラムであって、前記画像処理装置を構成するコンピュータに、ＴＶ法により原画像をカートゥーン画像とテクスチャ画像とに分解する処理と、前記テクスチャ画像を入力し、該テクスチャ画像を構成する画素の画素値を変換し、新たなテクスチャ画像を生成する処理と、前記分解したカートゥーン画像と生成した新たなテクスチャ画像とを合成して復元画像を生成する処理とを実行させることを特徴とする。
【手続補正９】
【補正対象書類名】明細書
【補正対象項目名】００３５
【補正方法】変更
【補正の内容】
【００３５】
次に、本発明の実施の形態による他の画像処理装置について説明する。図５は、本発明の実施の形態による他の画像処理装置の構成を示すブロック図である。この画像処理装置２０は、分解部２、変換部３、合成部４、切替部５及び切替制御部６を備えている。図１に示した画像処理装置１と図５に示す画像処理装置２０とを比較すると、画像処理装置２０は、分解部２、変換部３及び合成部４を備えている点で同一であるが、これらに加えて切替部５及び切替制御部６を備えている点で相違する。この画像処理装置２０は、画素毎またはブロック毎に局所的にノイズのレベルを検出し、そのノイズレベルが高い場合に、分解部２により分解されたテクスチャ画像ｖを用いて復元画像を生成し、ノイズレベルが低い場合に、変換部３により変換された新たなテクスチャ画像ｖ’を用いて復元画像を生成する。以下、図５において、図１と共通する部分には同一の符号を付し、その詳しい説明は省略する。
【手続補正１０】
【補正対象書類名】明細書
【補正対象項目名】００３７
【補正方法】変更
【補正の内容】
【００３７】
切替部５は、切替制御部６から制御信号を入力し、変換用の制御信号である場合に、分解部２により分解されたテクスチャ画像ｖを変換部３へ出力する。これにより、変換部３により新たに生成されたテクスチャ画像ｖ’を用いて復元画面が、画素毎またはブロック毎に生成される。一方、切替部５は、入力した制御信号がパス用の信号である場合に、分解部２により分解されたテクスチャ画像ｖをそのまま合成部４に出力する。これにより、変換部３により新たに生成されたテクスチャ画像ｖ’ではなく、分解部２により分解されたテクスチャ画像ｖを用いて復元画面が、画素毎またはブロック毎に生成される。
【手続補正１１】
【補正対象書類名】明細書
【補正対象項目名】００３８
【補正方法】変更
【補正の内容】
【００３８】
図６は、アップコンバータを含む他の画像処理装置の構成を示すブロック図である。図６（Ａ）において、画像処理装置３０は、アップコンバータ７及び画像処理部１０を備えている。画像処理部１０は、図１に示した画像処理装置１に相当し、分解部２、変換部３及び合成部４を備えている。アップコンバータ７は、ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）やＰＡＬ（Ｐｈａｓｅ  Ａｌｔｅｒｎａｔｉｎｇ  Ｌｉｎｅ）等の標準画像であるＳＤＴＶ（Ｓｔａｎｄａｒｄ  Ｄｅｆｉｎｉｔｉｏｎ  ＴｅｌｅＶｉｓｉｏｎ）信号の原画像を入力し、精細度の高いＨＤＴＶ（Ｈｉｇｈ  Ｄｅｆｉｎｉｔｉｏｎ  ＴｅｌｅＶｉｓｉｏｎ）信号の画像に変換して拡大する。画像処理部１０は、アップコンバータ７により変換されたＨＤＴＶ信号の画像を入力し、図１に示したように、ＴＶ法による画像処理手法に加えてテクスチャ画像ｖに変換処理を施し、復元画像を生成して出力する。
【手続補正１２】
【補正対象書類名】明細書
【補正対象項目名】００３９
【補正方法】変更
【補正の内容】
【００３９】
また、図６（Ｂ）において、画像処理装置４０は、図６（Ａ）に示したアップコンバータ７及び画像処理部１０の順番を入れ替えたものである。画像処理部１０は、ＳＤＴＶ信号の原画像を入力し、図１に示したように、ＴＶ法による画像処理手法に加えてテクスチャ画像ｖに変換処理を施し、復元画像を生成して出力する。アップコンバータ７は、画像処理部１０により出力されたＳＤＴＶ信号の復元画像を入力し、ＨＤＴＶ信号の画像に変換して拡大し、ＨＤＴＶ信号の復元画像として出力する。